(57)【要約】【目的】目地材へのキャップの支持固定が容易であり、しかも目地材に対するキャップの被冠高さ位置を維持した状態での支持固定が容易な目地材のキャップ支持具を提供する。【構成】合成樹脂発泡体で形成される目地材本体の上端に被冠される補強用のキャップであって、該キャップ側板の上端と下端との間に上向き鍔部が突出形成されているキャップを支持固定する目地材のキャップ支持具において、前記上向き鍔部に引掛係止する引掛爪と、該引掛爪から下方に垂設される本体部と、該本体部の側面に形成され、前記目地材本体の側部に突き刺さると共に前記キャップの側板の下端に下方から接触して支持する下端支持爪と、前記本体部の側面の下方位置で且つ前記下端支持爪の下方位置に形成され、前記目地材本体の側部に突き刺さる固定爪と、を有する構成である。【選択図】        図１
2006161425.tif 000002
【特許請求の範囲】
【請求項１】
合成樹脂発泡体で形成される目地材本体の上端に被冠される補強用のキャップであって、該キャップ側板の上端と下端との間に上向き鍔部が突出形成されているキャップを支持固定する目地材のキャップ支持具において、
前記上向き鍔部に引掛係止する引掛爪と、
該引掛爪から下方に垂設される本体部と、
該本体部の側面に形成され、前記目地材本体の側部に突き刺さると共に前記キャップの側板の下端に下方から接触して支持する下端支持爪と、
前記本体部の側面の下方位置で且つ前記下端支持爪の下方位置に形成され、前記目地材本体の側部に突き刺さる固定爪と、
を有する構成であることを特徴とする目地材のキャップ支持具。
【請求項２】
前記下端支持爪及び／又は固定爪の突出方向が、前記キャップの側板の側面の鍔部に引掛係止した引掛爪を支点とする該下端支持爪及び／又は固定爪の描く円弧と略一致する角度であることを特徴とする請求項１に記載の目地材のキャップ支持具。
【請求項３】
前記下端支持爪が、金属板を切り起こし加工及び／又は打ち抜き加工によって形成される構成であることを特徴とする請求項１又は２に記載の目地材のキャップ支持具。
【請求項４】
前記目地材のキャップ支持具が、全構成ないしは主要構成が一体的に形成される樹脂成形体であることを特徴とする請求項１又は２に記載の目地材のキャップ支持具。
【発明の詳細な説明】
【技術分野】
【０００１】
本発明は、目地材のキャップ支持具に関し、詳しくは屋上等のスラブ上面に設ける押さえコンクリートの目地材のキャップの支持具に関する。
【背景技術】
【０００２】
屋上等のスラブ上面には防水処理を施した後、又は断熱層をさらに設けた後、押えコンクリートを打設する。このとき、押えコンクリートの上面は勾配を持たせて雨水の排水を円滑に行うようにする。このため、押えコンクリートの目地材上面も勾配を設ける必要がある。
【０００３】
その目地材上面に勾配を設ける手段として、屋上等のスラブ上面に押えコンクリート用の目地材を固定し、この目地材の本体上部にキャップを上下方向に移動自在に被冠し、このキャップを上下に動かすことによってキャップの上面高さを押えコンクリートの上面と面一となるように被冠高さ位置を調整するものである。
【０００４】
この技術において、調整済みのキャップの被冠高さ位置がズレるのを阻止するために、キャップの下端縁をピンを有する支持具で支持固定する技術が知られている（例えば、特許文献１参照）。
【０００５】
【特許文献１】実用新案登録第２６０３９１５号公報
【発明の開示】
【発明が解決しようとする課題】
【０００６】
特許文献１に記載のピンを有する支持具による支持は、目地材本体の一方の側面から他方の側面に突き抜いた状態まで突き刺すことでキャップを支持固定するものである。
【０００７】
しかし、合成樹脂発泡体で形成される目地材を突き抜いた状態まで突き刺すには軽微な力では困難であり、屋上の全面に配設される目地材とキャップとの支持固定に用いられる支持具の数は多数であることから、突き刺し作業は著しく煩雑となるだけでなく、突き刺す位置がズレてしまったり或いは斜めに入り込んでしまったりすることが多くなり易く、調整されたキャップの被冠高さ位置を維持させた状態での突き刺し支持が困難である。従って、コンクリート上面とキャップ上面とを面一に仕上げるためのキャップの被冠高さ位置の調整及び支持固定作業が容易ではないという課題を有している。また、合成樹脂発泡体に対する固定が弱いという課題も有している。
【０００８】
そこで本発明の課題は、目地材へのキャップの支持固定が容易であり、しかも目地材に対するキャップの被冠高さ位置を維持した状態での支持固定が容易であるばかりでなく、合成樹脂発泡体に対する固定が強固である目地材のキャップ支持具を提供することにある。
【課題を解決するための手段】
【０００９】
上記課題を解決する本発明は下記構成を有する。
【００１０】
１．合成樹脂発泡体で形成される目地材本体の上端に被冠される補強用のキャップであって、該キャップ側板の上端と下端との間に上向き鍔部が突出形成されているキャップを支持固定する目地材のキャップ支持具において、
前記上向き鍔部に引掛係止する引掛爪と、
該引掛爪から下方に垂設される本体部と、
該本体部の側面に形成され、前記目地材本体の側部に突き刺さると共に前記キャップの側板の下端に下方から接触して支持する下端支持爪と、
前記本体部の側面の下方位置で且つ前記下端支持爪の下方位置に形成され、前記目地材本体の側部に突き刺さる固定爪と、
を有する構成であることを特徴とする目地材のキャップ支持具。
【００１１】
２．前記下端支持爪及び／又は固定爪の突出方向が、前記キャップの側板の側面の鍔部に引掛係止した引掛爪を支点とする該下端支持爪及び／又は固定爪の描く円弧と略一致する角度であることを特徴とする上記１に記載の目地材のキャップ支持具。
【００１２】
３．前記下端支持爪が、金属板を切り起こし加工及び／又は打ち抜き加工によって形成される構成であることを特徴とする上記１又は２に記載の目地材のキャップ支持具。
【００１３】
４．前記目地材のキャップ支持具が、全構成ないしは主要構成が一体的に形成される樹脂成形体であることを特徴とする上記１又は２に記載の目地材のキャップ支持具。
【発明の効果】
【００１４】
請求項１に示す発明によれば、目地材のキャップ支持具が、キャップの側板の上向き鍔部に引掛係止する引掛爪と、目地材本体の側部に突き刺さると共にキャップの側板の下端に下方から接触して支持する下端支持爪と、目地材本体の側部に突き刺さる固定爪とを有する構成により、キャップは、上方向に対しては引掛爪により固定され、下方向に対しては下端支持爪により固定された状態で、固定爪により目地材本体に固定されるので、目地材に対するキャップの被冠高さ位置を維持した状態で支持固定することができる。しかも、支持具による支持固定は、目地材本体の一方の側面から他方の側面に突き抜く必要がないため、突き刺しが容易である。また、引掛爪を支点に２箇所を合成樹脂発泡体に突き刺すため固定が強固である。
【００１５】
請求項２に示す発明によれば、下端支持爪及び／又は固定爪の突出方向が、キャップの側板の側面の鍔部に引掛係止した引掛爪を支点とする下端支持爪及び／又は固定爪の描く円弧と略一致する角度である構成により、支持固定に際しては、キャップの被冠高さ位置を手指等で保持し、キャップの上向き鍔部にキャップ支持具の引掛爪を引っ掛けた状態で下端支持爪及び固定爪を目地材本体に突き刺すことにより、かかる突き刺しは前記引掛爪を支点とする円弧を描くように行われる。従って、下端支持爪及び固定爪の突き刺し位置がズレることがないため、調整済みのキャップの被冠高さ位置を維持したまま目地材本体への支持固定が容易に可能となる。
【００１６】
請求項３に示す発明によれば、金属板を切り起こし加工及び／又は打ち抜き加工によって形成される構成により、金属製のキャップ支持具により上記請求項１又は２に示す発明の効果を得ることができる。
【００１７】
請求項４に示す発明によれば、全構成ないしは主要構成が一体的に形成される樹脂成形体である構成により、大量生産性に富む樹脂製のキャップ支持具により上記請求項１又は２に示す発明の効果を得ることができる。
【発明を実施するための最良の形態】
【００１８】
次に、添付の図面に従って本発明を更に詳細に説明する。
図１は本発明に係る目地材のキャップ支持具の一実施例を示す斜視図、図２は図１のキャップ支持具の使用状態を示す説明側面図、図３はキャップ支持具の突き刺し過程を示す概略説明図、図４は本発明に係る目地材のキャップ支持具の他の実施例を示す斜視図である。
【００１９】
図１及び図２において、本発明に係る目地材のキャップ支持具（以下、単にキャップ支持具ということもある。）１は、合成樹脂発泡体で形成される目地材２の目地材本体２１の上端に被冠する補強用のキャップ３であって、該キャップ３の側板３１の上端３２と下端３３との間に上向き鍔部３４が突出形成されているキャップ３を支持固定するものである。
【００２０】
キャップ支持具１は、前記上向き鍔部３４に引掛係止する引掛爪１１と、該引掛爪１１から下方に垂設される本体部１２と、該本体部１２の側面に形成され、前記目地材本体２１の側部に突き刺さると共に前記キャップ３の側板３１の下端３３に下方から接触して支持する下端支持爪１３と、前記本体部１２の側面の下方位置で且つ前記下端支持爪１３の下方位置に形成され、前記目地材本体１２の側部に突き刺さる固定爪１４と、を有する構成である。
【００２１】
図２において、４はスラブ（又は断熱層）であり、２２は該スラブ（又は断熱層）４上に配設される目地材２の目地材台座部である。
【００２２】
次に、キャップ支持具１によるキャップ３の目地材２への支持固定について説明する。
【００２３】
先ず、目地材本体２１の上端に被冠されるキャップ３の被冠高さ位置を、該キャップ３の上面３５の位置が、スラブ（又は断熱層）４上に打設される押えコンクリート（図示せず）の上面と面一になるように調整する。
【００２４】
キャップ３の被冠高さ位置を調整した後、かかる被冠高さ位置を手指等で保持することにより維持した状態で、キャップ３の上向き鍔部３４にキャップ支持具１の引掛爪１１を引っ掛ける。
【００２５】
引っ掛けた状態で、引掛爪１１を支点Ｘとする円弧Ｒ1・Ｒ2を描くように下端支持爪１３及び固定爪１４を目地材本体２１に突き刺す。
【００２６】
下端支持爪１３及び／又は固定爪１４は、突出方向が、キャップ３の側板３１の側面の上向き鍔部３４に引掛係止した引掛爪１１を支点Ｘとする該下端支持爪１３及び／又は固定爪１４の描く円弧Ｒ1・Ｒ2と略一致する角度に形成されていることにより、下端支持爪１３と固定爪１４は、各々の先端が目地材本体２１に突き刺さった位置からズレることなく深く突き刺さることになる。従って、下端支持爪１３及び固定爪１４の突き刺し位置がズレることがないため、調整済みのキャップ３の被冠高さ位置を維持したまま目地材２への支持固定が容易に可能となる。また、引掛爪１１を支点Ｘにして、下端支持爪１３と固定爪１４との２箇所が発泡合成樹脂製の目地材２の目地材本体２１に突き刺されるため、固定が強固となる。
【００２７】
以上、本発明に係る目地材２のキャップ支持具１の一実施例について説明したが、本発明は上記に限定されず種々の態様を採ることができる。
【００２８】
例えば、本発明に係るキャップ支持具１は、図１に示すように、下端支持爪１４が金属板を切り起こし加工及び／又は打ち抜き加工によって形成されることにより得られるが、本発明はこれに限定されず、例えば、図４に示すように、全構成ないしは主要構成が一体的に形成される樹脂成形体であってもよい。
【００２９】
キャップ支持具１の材質については、この種のキャップ支持具１に用いられる公知公用の材質が特別の制限なく用いられ、例えば、ステンレスや亜鉛鋼板等の金属製、ＡＢＳ、ＰＰ、ＰＥ等の合成樹脂製等が挙げられる。
【図面の簡単な説明】
【００３０】
【図１】本発明に係る目地材のキャップ支持具の一実施例を示す斜視図
【図２】図１のキャップ支持具の使用状態を示す説明側面図
【図３】キャップ支持具の突き刺し過程を示す概略説明図
【図４】本発明に係る目地材のキャップ支持具の他の実施例を示す斜視図
【符号の説明】
【００３１】
１  キャップ支持具
１１  引掛爪
１２  本体部
１３  下端支持爪
１４  固定爪
２  目地材
２１  目地材本体
２２  目地材台座部
３  キャップ
３１  側板
３２  上端
３３  下端
３４  上向き鍔部
３５  上面
４  スラブ（又は断熱層）
【図１】
2006161425.tif 000003
【図２】
2006161425.tif 000004
【図３】
2006161425.tif 000005
【図４】
2006161425.tif 000006